(57)【要約】【課題】  配線用遮断器を組み立てが終わった段階でＩ−ｔ特性の検査をした結果、Ｉ−ｔ特性の調整が必要なものについて調整ができるうえ、出荷後にユーザーがＩ−ｔ調整ネジを間違えて操作することが無くするための処理を不要とする配線用遮断器を提供する  【解決手段】  電源側端子がプラグ端子部である配線用遮断器において、ケース１に設けたプラグ端子部２の幹線バー嵌合用の横溝３の一部にバイメタル５１のＩ−ｔ調整ネジ５２に臨む工具挿通部３ａを設ける。【選択図】  図２
2006236690.tif 000002
【特許請求の範囲】
【請求項１】
電源側端子がプラグ端子部である配線用遮断器において、ケースに設けたプラグ端子部の幹線バー嵌合用の横溝の一部にバイメタルのＩ−ｔ調整ネジに臨む工具挿通部を設けたことを特徴とする配線用遮断器。
【請求項２】
工具挿通部を幹線バー嵌合用の横溝の溝底部に設けた請求項１に記載の配線用遮断器。
【請求項３】
工具挿通部を幹線バー嵌合用の横溝の溝壁部から設けた請求項１に記載の配線用遮断器。
【請求項４】
工具挿通部を設けた幹線バー嵌合用の横溝にプラグイン金具に取り付け、該プラグイン金具に横溝に設けた工具挿通部と対応した工具挿通部を設けた請求項２又は３に記載の配線用遮断器。
【発明の詳細な説明】
【技術分野】
【０００１】
本発明は、バイメタルを備えた配線用遮断器に関するものである。
【背景技術】
【０００２】
バイメタルを備える配線用遮断器では各部品を組み立てる段階である程度バイメタルのＩ−ｔ特性（過電流引き外し特性）の調整をしておいて、組み立てが終わった段階で検査をするものである。その検査の結果さらに調整が必要なものに対応するため、バイメタルのＩ−ｔ調整ネジの頭部をケースの外面に設けた凹部に露出させて、調整を行うことができるものがある（特許文献１）。しかし、これは、出荷後にユーザーがＩ−ｔ調整ネジを間違えて操作するとブレーカの性能が変化する虞があるため、Ｉ−ｔ調整ネジの頭部を絶縁性の封印材で覆う処理を行う必要があり、その分部品点数が多くなり、また、作業性の悪いものであった。
【特許文献１】特開平９−１８０６１３号公報
【発明の開示】
【発明が解決しようとする課題】
【０００３】
本発明は前記のような問題点を解決して、配線用遮断器を組み立てが終わった段階でＩ−ｔ特性の検査をした結果、Ｉ−ｔ特性の調整が必要なものについて調整ができるうえ、出荷後にユーザーがＩ−ｔ調整ネジを間違えて操作することが無くするための処理を不要とする配線用遮断器を提供することである。
【課題を解決するための手段】
【０００４】
本発明の配線用遮断器は、電源側端子がプラグ端子部である配線用遮断器において、ケースに設けたプラグ端子部の幹線バー嵌合用の横溝の一部にバイメタルのＩ−ｔ調整ネジに臨む工具挿通部を設けけた特徴とするものを請求項１に記載の発明とする。この発明において、工具挿通部を幹線バー嵌合用の横溝の溝底部に設けたものを請求項２に記載の発明とし、また、請求項１に記載の発明において、工具挿通部を幹線バー嵌合用の横溝の溝壁部から設けたものを請求項３に記載の発明とする。
【０００５】
さらに、前記請求項２又は３に記載の発明において、工具挿通部を設けた幹線バー嵌合用の横溝にプラグイン金具に取り付け、該プラグイン金具に横溝に設けた工具挿通部と対応した工具挿通部を設けたものを請求項４に記載の発明とする。
【発明の効果】
【０００６】
前記のような本発明は、プラグ端子部のケースに設けた幹線バー嵌合用の横溝の一部にバイメタルのＩ−ｔ調整ネジに臨む工具挿通部を設けたものであるので、組み立てが終わった段階で検査をした結果さらにＩ−ｔ調整ネジの調整が必要な場合に工具挿通部から工具をケース内に挿入してＩ−ｔ調整ネジを調整できるものである。このように、Ｉ−ｔ調整ネジの調整をケース内に工具を挿入して行うため、出荷後にユーザーがＩ−ｔ調整ネジを間違えて操作するという虞の無いものであり、誤操作を防止するための封印材で工具挿通部を閉塞する必要が無いものである。
【０００７】
また、前記工具挿通部は幹線バー嵌合用の横溝の一部に設けたものであるので、分電盤に組込んだ状態では該工具挿通部は横溝に嵌合される幹線バーに閉塞されるので、分電盤の設置工事をする際に発生する壁材破片や塵埃等のゴミがケース内に侵入することができるものであり、この観点からも工具挿通部を封印材により閉塞する必要がないのでその分部品点数を少なくでき製造も容易なものとなる。さらに、工具挿通部を設けた幹線バー嵌合用の横溝にプラグイン金具に取り付けたものにあっても、該プラグイン金具に横溝に設けた工具挿通部と対応した工具挿通部を設けたものであるから、該プラグイン金具が工具挿通の障害とならないものである。
【発明を実施するための最良の形態】
【０００８】
次に、本発明の好ましい実施の形態を図面に基づき説明する。
図１及び図７はそれぞれ電源側端子がプラグ端子部である単相三線式の２極プラグイン式の配線用遮断器の断面図を示す。これら、図１、図７において、１はプラグイン式の配線用遮断器のケースであり、該ケース１の電源側端子のプラグ端子部２には幹線バー嵌合用の横溝３が上下に平行して３つ設けられている。そして、３つの横溝３のうち任意の２つにはプラグイン金具４が設けられており、Ｌ１とＮ、Ｌ２とＮの幹線バーと接続して１００Ｖ配線、Ｌ１とＬ２の幹線バーと接続して２００Ｖ配線を行うことができるものとしている。この横溝３の一部にはケース１内に組込んだ電路セット５に備えたバイメタル５１のＩ−ｔ調整ネジ５２に臨む工具挿通部３ａが設けられている。
【０００９】
すなわち、前記バイメタル５１のＩ−Ｔ調整ネジ５２は、図１、図２、図７、図８に示すように横溝３のうち最上段の横溝３が臨む位置に設けてあり、これに対応するように該横溝３に工具挿通部３ａが設けられている。そして、工具挿通部３ａが設けた最上段の横溝３にプラグイン金具４が備えたものである。具体的に説明すると図１、図２、図３に示すものは横溝３の溝底部３１に工具挿通部３ａが設けられており、そのため工具挿通部３ａはＩ−ｔ調整ネジ５２の下方位置となるため工具を斜め上方にむけ挿入する必要があるため、前記Ｉ−ｔ調整ネジ５２もこれに相応させた傾斜をもたせている。また、プラグイン金具４に横溝３の溝底部３１に設けた工具挿通部３ａと対応した工具挿通部４ａを設けている。この他に、図４に示すものは、横溝３の溝底部３１のうち、プラグイン金具４の側方に工具挿通部３ａを設けたもので、プラグイン金具４に工具挿通部４ａを設けていない。
【００１０】
他方、図７、図８に示すものは工具挿通部３ａを幹線バー嵌合用の横溝３の溝壁部３２の先端から貫通するように設けてあり、そのため工具挿通部３ａはＩ−ｔ調整ネジ５２と同一位置となるため工具を水平に挿入できるので、前記Ｉ−ｔ調整ネジ５２は水平に設置されている。プラグイン金具４に横溝３の溝底部３１に設けた工具挿通部３ａと対応した工具挿通部４ａを設けている。
【００１１】
前記プラグイン金具４は図５、図６に示すように垂直板部４１の上下辺の前方に上辺接触板部４２と下辺接触板部４３とを先端側の間隔が狭くなるように張設して、上辺接触板部４２と下辺接触板部４３との先端を幹線バーの誘い込み片部４２１、４３１を形成するように外開き状としている。そして、該プラグイン金具４は垂直板部４１を横溝３の溝底部３１の内側に位置させて、上辺接触板部４２と下辺接触板部４３の先端側を横溝３の上下の溝壁部３２、３２に設けた開口３２ａ、３２ａから横溝３内に臨ませて幹線バーを挟持するものである。
【００１２】
また、プラグイン金具４の上辺接触板部４２と下辺接触板部４３の一方すなわち上辺接触板部４２の幅を他方の幅より広くして上辺接触板部４２の先端側から基端側に向け切込みを垂直板部４１の中央から上端間に前記切込に臨む透孔を設けて、該切込と透孔により図５、図６に示す横溝３の溝底部３１に設けた工具挿通部３ａと対応した工具挿通部４ａに形成している。このように上辺接触板部４２は他方の幅より広くした分を切込により切除されているので、上辺接触板部４２と下辺接触板部４３の幹線バーへの接触幅が同幅となり、接触圧も均等で、幹線バーにプラグイン金具４が傾いて接続されることがないので、接触不良になることがないものである。なお、工具挿通部４ａは上辺接触板部４２の先端側から垂直板部４１の中央に達する切込により一連に設けてもよい。
【００１３】
このように構成されたものは、図１、図２及び図３に示すものは幹線バー嵌合用の横溝３の一部すなわち溝底部３１にバイメタル５１のＩ−ｔ調整ネジ５２に臨む工具挿通部３ａを設けたものであり、また、横溝３に備えたプラグイン金具４に横溝３の溝底部３１に設けた工具挿通部３ａと対応した工具挿通部４ａが設けてあるので、配線用遮断機組み立てが終わった段階で検査をした結果、さらにＩ−ｔ調整ネジ５２の調整が必要な場合に工具挿通部３ａ、４ａから図２に一点鎖線で示す工具６をケース１内に挿入してＩ−ｔ調整ネジ４２を調整できるものである。なお、この場合に図１、図２に示すように工具６の先端がＩ−ｔ調整ネジ５２の頭部に容易に達するようにケース１内に工具の進行方向を誘導する位置決め片７を設けていることが好ましい。
【００１４】
このように、Ｉ−ｔ調整ネジ５２の調整をケース１内に工具を挿入して行うため、出荷後にユーザーがＩ−ｔ調整ネジ５２を間違えて操作する虞の無いものであり、誤操作を防止するための封印材で工具挿通部を閉塞する必要が無いものである。また、工具挿通部３ａ、４ａを特殊工具のみ通過できる形状としておけば、悪戯を防ぐことができる。なお、横溝３にプラグイン金具４を備えていない場合や、図４に示すようにプラグイン金具４の側方に工具挿通部３ａを設けたものでは、横溝３の溝底部３１の工具挿通部３ａからのみ工具をケース１内に挿入してＩ−ｔ調整ネジ５２を調整することは勿論である。この図４に示すものではプラグイン金具４に工具挿通部４ａを設けていないので部品加工が容易である。
【００１５】
また、工具挿通部３ａは横溝３の奥端である溝底部３１に設けたものであるのでプラグイン金具４の有無に係わらず、分電盤に組込んだ状態では該工具挿通部３ａは横溝３に嵌合される図１に一点鎖線で示す幹線バー８に閉塞されるので、分電盤の設置工事をする際に発生する壁材破片や塵埃等のゴミがケース１内に侵入することがないので、この観点からも工具挿通部３ａを封印材により閉塞する必要がないのでその分部品点数を少なくでき製造も容易なものとすることができる。
【００１６】
また、図７、図８、図９に示すものは、幹線バー嵌合用の横溝３の一部すなわち溝壁部３２にバイメタル５１のＩ−ｔ調整ネジ５２に臨む工具挿通部３ａを設けたものであり、また、横溝３に備えたプラグイン金具４に横溝３の溝壁部３２に設けた工具挿通部３ａと対応した工具挿通部４ａが設けてあるので、組み立てが終わった段階で検査をした結果、さらにＩ−ｔ調整ネジ５２の調整が必要な場合に工具挿通部３ａ、４ａから工具をケース１内に挿入してＩ−ｔ調整ネジ５２を調整できるものである。
【００１７】
これも、Ｉ−ｔ調整ネジ５２の調整をケース１内に工具を挿入して行うため、出荷後にユーザーがＩ−ｔ調整ネジ５２を間違えて操作する虞の無いものであり、誤操作を防止するための封印材で工具挿通部を閉塞する必要が無いものである。また、工具挿通部３ａ、４ａを特殊工具のみ通過できる形状としておけば、悪戯を防ぐことができる。なお、横溝３にプラグイン金具４を備えていない場合には横溝３の溝壁部３２の工具挿通部３ａからのみ工具をケース１内に挿入してＩ−ｔ調整ネジ５２を調整することは勿論である。
【００１８】
また、横溝３の溝壁部３２に設けた工具挿通部３ａはプラグイン金具５の有無に係わらず、分電盤に組込んだ状態では溝壁部３２には幹線バーの上面が当接した状態となるので該工具挿通部３ａは横溝３に嵌合される幹線バーに閉塞されることとなり、分電盤の設置工事をする際に発生する壁材破片や塵埃等のゴミがケース１内に侵入することがないので、この観点からも工具挿通部３ａを封印材により閉塞する必要がないのでその分部品点数を少なくでき製造も容易なものとすることができる。このように構成した本発明は、プラグイン式の配線用遮断器の電源側端子方向からバイメタルの調整を行うことができるので、バイメタルの配置を開閉機構部より電源側（可動接触子の基端側）で垂直に配置でき内部配置の効率を良くすることができるものである。
【図面の簡単な説明】
【００１９】
【図１】本発明の実施形態の１例を示す断面図。
【図２】本発明の実施形態の１例の要部を示す断面図
【図３】本発明の実施形態の１例を示す斜視図。
【図４】本発明の実施形態の他例を示す斜視図。
【図５】プラグイン金具の１例を示す正面側斜視図。
【図６】プラグイン金具の１例を示す背面側斜視図。
【図７】本発明の実施形態の他例を示す断面図。
【図８】本発明の実施形態の他例の要部を示す断面図
【図９】本発明の実施形態の他例を示す斜視図。
【符号の説明】
【００２０】
１  ケース
２  プラグ端子部
３  横溝
31  溝底部
32  溝壁部
3a  工具挿通部
４  プラグイン金具
4a  工具挿通部
51  バイメタル
52  調整ネジ
【図１】
2006236690.tif 000003
【図２】
2006236690.tif 000004
【図３】
2006236690.tif 000005
【図４】
2006236690.tif 000006
【図５】
2006236690.tif 000007
【図６】
2006236690.tif 000008
【図７】
2006236690.tif 000009
【図８】
2006236690.tif 000010
【図９】
2006236690.tif 000011